(57)【特許請求の範囲】
【請求項１】
車両のステアリング装置の耐久試験装置であって、
イグニッションスイッチと、該イグニッションスイッチのキーシリンダの回転位置に連動して作動するステアリングロック装置とを組み付けた、ステアリングコラムアッセンブリーを保持する保持装置と、
前記ステアリングコラムアッセンブリーのステアリングシャフトを回転させるステアリングシャフト駆動装置と、
前記イグニッションスイッチのキー穴に対する、キーの抜き差し操作及び回転操作を行うキー操作装置と、
前記ステアリングシャフト駆動装置及び前記キー操作装置を制御する制御装置とを備え、
該制御装置は、前記キー操作装置による前記キーの抜き差し操作として、前記キー穴に対する前記キーの引き抜き位置が、
前記イグニッションスイッチのキーシリンダに対する前記キーの噛合い状態が解除され、かつ、前記キー穴内に前記キーの先端が残った状態となるよう調整する制御手段を備えることを特徴とする車両のステアリング装置の耐久試験装置。
【請求項２】
前記キー操作装置は、前記キーを弾性支持する支持手段を備えることを特徴とする請求項１記載の車両のステアリング装置の耐久試験装置。
【請求項３】
前記支持手段は、前記キー操作装置の、キー操作を行う駆動手段と、前記キーを保持する保持手段とを連結する弾性部材を含むことを特徴とする請求項２記載の車両のステアリング装置の耐久試験装置。
【請求項４】
車両のステアリング装置の耐久試験方法であって、
イグニッションスイッチと、該イグニッションスイッチのキーシリンダの回転位置に連動して作動するステアリングロック装置を組み付けたステアリングコラムアッセンブリーを供試体とし、
前記イグニッションスイッチのキー穴に対する、キーの抜き差し操作及び回転操作を行い、前記ステアリングロック装置をロック状態又はロック解除状態とし、
前記ステアリングロック装置のロック状態又はロック解除状態の少なくとも一方にて、前記ステアリングコラムアッセンブリーのステアリングシャフトを回転させるステアリングシャフト駆動操作を行い、
かつ、前記キーの抜き差し操作時に、前記キー穴に対する前記キーの引き抜き位置を、前記イグニッションスイッチのキーシリンダに対する前記キーの噛合い状態が解除され、かつ、前記キー穴内に前記キーの先端が残った状態となるように調整することを特徴とする車両のステアリング装置の耐久試験方法。
【請求項５】
前記イグニッションスイッチのキー穴に対する、キーの抜き差し操作及び回転操作の際に、前記キーを弾性支持して行うことを特徴とする請求項４記載の車両のステアリング装置の耐久試験方法。
【発明の詳細な説明】
【技術分野】
【０００１】
本発明は、車両のステアリング装置の耐久試験装置と耐久試験方法に関するものである。
【背景技術】
【０００２】
車両のステアリング装置として、ステアリングホイールが固定されるステアリングシャフトと、該ステアリングシャフトに回転駆動されるピニオンと、該ピニオンに噛合うラックバーとを備える構造が広く採用されている。この構造例の場合には、ラックバーに固定されたタイロッドに、車輪を回転自在に保持するナックルアームが連結されている。そして、ステアリングシャフトの回転動作がタイロッドの左右方向の動作に変換されて、車輪を保持するナックルアームを左右に回転させることで、車輪は左右に回動するようになっている。
【０００３】
このステアリング装置の耐久試験として、例えば、ピニオンからタイロッドまでの構造部分を供試体として耐久試験装置にセットし、ピニオンには回転駆動アクチュエータを接続し、ラックには車輪からの反力を再現する油圧シリンダを接続し、車載状態での荷重負荷を再現する手法も開発されている（例えば、特許文献１参照）。
又、車両のステアリング装置には、イグニッションスイッチと、該イグニッションスイッチのキーシリンダの回転位置に連動して作動するステアリングロック装置とが採用されている。この、ステアリングロック装置についても、単体での検査を行うことが可能な装置が開発されており、耐久試験に供された後に、実際の車両に組み込まれるものである（例えば、特許文献２参照）。
【先行技術文献】
【特許文献】
【０００４】
【特許文献１】特開２００２−２２８５５５号公報
【特許文献２】特開２００６−０４４２８１号公報
【発明の概要】
【発明が解決しようとする課題】
【０００５】
ところで、車両の盗難防止対策をより万全にするために、本発明者らは、イグニッションスイッチ及びステアリングロック装置を組み付けた、車載状態により近い状態の車両のステアリングコラムアッセンブリーを供試体とする耐久試験の必要性に着目している。そして、この耐久試験を行うことが可能な試験装置を開発するに至ったが、その開発過程で、次に例示するような不具合が生じることが、本発明者らによって見い出された。
【０００６】
例えば、ステアリングロック装置に連動するイグニッションスイッチが、キーシリンダのキー穴に、実際にキーを差し込んで回転させることにより操作を行う形式のステアリングコラムアッセンブリーの場合が該当する。この形式のステアリングコラムアッセンブリーは、ステアリングロック装置の作動手順として、まず、イグニッションスイッチのキーシリンダの回転位置がＯＦＦ位置となるように、キーを回転操作する。そして、キー穴からキーを抜き取ることで、ステアリングロック装置のスタンバイ状態となる。更に、ステアリングシャフトが所定回転回転操作されることで、ステアリングロック装置が作動する。又、ステアリングロック装置を解除する際には、キー穴にキーを差し込み、イグニッションスイッチのキーシリンダの回転位置が、ＡＣＣ位置となるまでキーを回転させることで、ステアリングロック装置が解除される。
【０００７】
かかるステアリングコラムアッセンブリーの耐久試験において、実際の使用条件（盗難時の操作等）を考慮して、ステアリングロック装置のロック状態、及びロック解除状態の双方で、ステアリングコラムアッセンブリーに回転負荷を加えるフローを自動的に行うことが望ましい。この際、ステアリングロック装置をロック状態にするために、キー穴からキーを抜いた状態で、ステアリングコラムアッセンブリーに回転荷重を加えると、その負荷によってイグニッションスイッチも、連れ回りによる微少回転を起こすこととなる。この状態では、キー穴に対するキーの抜き差しに係るアクチュエータに保持されたキーと、イグニッションスイッチのキー穴とに位置ズレが生じ、アクチュエータによるキーの抜き差し動作を行っても、キー穴に再びキーを差し込むことが不可能となり、ステアリングロック装置のロック解除操作を自動的に行うことが出来なくなることがあった。
【０００８】
このため、ステアリングコラムアッセンブリーの、所望の試験フローを、自動的に実行することが可能な耐久試験装置及び耐久試験方法が望まれていたところである。
本発明は、上記課題に鑑みてなされたものであり、その目的とするところは、車両の盗難防止対策により万全を期すべく、車載状態により近い供試体を用いた、車両のステアリング装置の耐久試験の自動化を図ることにある。
【課題を解決するための手段】
【０００９】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１０】
（１）車両のステアリング装置の耐久試験装置であって、イグニッションスイッチと、該イグニッションスイッチのキーシリンダの回転位置に連動して作動するステアリングロック装置とを組み付けた、ステアリングコラムアッセンブリーを保持する保持装置と、前記ステアリングコラムアッセンブリーのステアリングシャフトを回転させるステアリングシャフト駆動装置と、前記イグニッションスイッチのキー穴に対する、キーの抜き差し操作及び回転操作を行うキー操作装置と、前記ステアリングシャフト駆動装置及び前記キー操作装置を制御する制御装置とを備える車両のステアリング装置の耐久試験装置。
【００１１】
本項に記載の車両のステアリング装置の耐久試験装置は、イグニッションスイッチと、該イグニッションスイッチのキーシリンダの回転位置に連動して作動するステアリングロック装置とを組み付けた、ステアリングコラムアッセンブリーを供試体として、耐久試験を行うものである。そのために、保持装置によってステアリングコラムアッセンブリーを保持した状態で、ステアリングシャフト駆動装置及びキー操作装置を、制御装置により、耐久試験項目に即した動作を行うよう制御する。
ここで、ステアリングシャフト駆動装置は、ステアリングシャフトを回転させることで、ステアリングコラムアッセンブリーに対し、回転操作に係る荷重を付与するものである。又、キー操作装置は、イグニッションスイッチのキー穴に対する、キーの抜き差し操作及び回転操作を行うことで、イグニッションスイッチのキーシリンダの回転位置に連動して作動するステアリングロック装置を、ロック状態又はロック解除状態とするものである。そして、制御装置はこれらステアリングシャフト駆動装置及びキー操作装置の一連の動作を、自動的に行うよう制御するものである。
【００１２】
（２）上記（１）項において、前記制御装置は、前記キー操作装置による前記キーの抜き差し操作として、前記キー穴に対する前記キーの引き抜き位置が、前記イグニッションスイッチのキーシリンダに対する前記キーの噛合い状態が解除され、かつ、前記キー穴内に前記キーの先端が残った状態となるよう調整する制御手段を備える車両のステアリング装置の耐久試験装置（請求項１）。
【００１３】
本項に記載の車両のステアリング装置の耐久試験装置は、制御装置の制御手段により、キー穴に対するキーの引き抜き位置が、イグニッションスイッチのキーシリンダに対するキーの噛合い状態が解除され、かつ、キー穴内にキーの先端が残った状態となるよう、キー操作装置によるキーの抜き差し操作が調整される。即ち、キー穴に対してキーが引き抜き位置にある状態でもキーとキー穴との係合状態が維持されるので、ステアリングコラムアッセンブリーの耐久試験中に、キーとキー穴との係合状態が解除されることが無い。
このため、ステアリングシャフト駆動装置によりステアリングシャフトを回転させることで、ステアリングコラムアッセンブリーに回転荷重を加えた状態で、その負荷によってイグニッションスイッチに微少回転が引き起こされたとしても、キーとキー穴との係合状態が維持されることとなる。しかも、イグニッションスイッチのキーシリンダに対するキーの噛合い状態がは解除されていることから、キー操作装置に保持されたキーからキーシリンダを介してステアリングコラムアッセンブリーに対し負荷が与えられることは無い。そして、イグニッションスイッチの回転の有無に関わらず、キー操作装置による、イグニッションスイッチのキー穴に対する、キーの差し込み操作を可能とするものである。
【００１４】
（３）上記（１）、（２）項において、前記キー操作装置は、前記キーを弾性支持する支持手段を備える車両のステアリング装置の耐久試験装置（請求項２）。
本項に記載の車両のステアリング装置の耐久試験装置は、キーを弾性支持する支持手段を備えるキー操作装置によって、イグニッションスイッチのキー穴に対する、キーの抜き差し操作及び回転操作を行うものである。そして、ステアリングコラムアッセンブリーに回転荷重を加えた状態で、その負荷によってイグニッションスイッチに微少回転が引き起こされた場合においても、支持手段によりキーを弾性支持することにより、キー操作装置に対するキーの変位を吸収する。そして、キー操作装置による、イグニッションスイッチのキー穴に対するキーの差し込み操作を、より円滑に行うものである。
【００１５】
（４）上記（３）項において、前記支持手段は、前記キー操作装置の、キー操作を行う駆動手段と、前記キーを保持する保持手段とを連結する弾性部材を含む車両のステアリング装置の耐久試験装置（請求項３）。
本項に記載の車両のステアリング装置の耐久試験装置は、キー操作装置の、キー操作を行う駆動手段と、キーを保持する保持手段とを連結する弾性部材を含む、支持手段によってキーを弾性支持するものである。そして、支持手段によるキーの弾性支持により、ステアリングコラムアッセンブリーに回転荷重を加えた状態で、イグニッションスイッチに微少回転が引き起こされた場合においも、弾性部材の弾性変形によりキー操作装置に対するキーの変位を吸収する。そして、キー操作装置による、イグニッションスイッチのキー穴に対するキーの差し込み操作を、より円滑に行うものである。
【００１６】
（５）車両のステアリング装置の耐久試験方法であって、イグニッションスイッチと、該イグニッションスイッチのキーシリンダの回転位置に連動して作動するステアリングロック装置を組み付けたステアリングコラムアッセンブリーを供試体とし、前記イグニッションスイッチのキー穴に対する、キーの抜き差し操作及び回転操作を行い、前記ステアリングロック装置をロック状態又はロック解除状態とし、前記ステアリングロック装置のロック状態又はロック解除状態の少なくとも一方にて、前記ステアリングコラムアッセンブリーのステアリングシャフトを回転させるステアリングシャフト駆動操作を行う車両のステアリング装置の耐久試験方法。
【００１７】
本項に記載の車両のステアリング装置の耐久試験方法は、イグニッションスイッチと、該イグニッションスイッチのキーシリンダの回転位置に連動して作動するステアリングロック装置を組み付けたステアリングコラムアッセンブリーを供試体として、耐久試験を行うことを可能とするものである。かかる供試体を保持した状態で、耐久試験項目に即した、イグニッションスイッチのキー穴に対する、キーの抜き差し操作及び回転操作を行う。そして、イグニッションスイッチのキーシリンダの回転位置に連動して作動するステアリングロック装置を、ロック状態又はロック解除状態とする。更に、ステアリングロック装置のロック状態又はロック解除状態の少なくとも一方にて、ステアリングシャフトを回転させることで、ステアリングコラムアッセンブリーに対し回転操作に係る荷重を付与する。これら、ステアリングロック装置のロック又はロック解除、及び、ステアリングシャフトの回転といった一連の動作を、車両のステアリングコラムアッセンブリーの耐久試験として行うものである。
【００１８】
（６）上記（５）項において前記キーの抜き差し操作時に、前記キー穴に対する前記キーの引き抜き位置を、前記イグニッションスイッチのキーシリンダに対する前記キーの噛合い状態が解除され、かつ、前記キー穴内に前記キーの先端が残った状態となるように調整する車両のステアリング装置の耐久試験方法（請求項４）。
【００１９】
本項に記載の車両のステアリング装置の耐久試験方法は、キー操作装置によるキーの抜き差し操作時に、キー穴に対するキーの引き抜き位置が、イグニッションスイッチのキーシリンダに対するキーの噛合い状態が解除され、かつ、キー穴内にキーの先端が残った状態となるよう調整することで、キー穴に対してキーが引き抜き位置にある状態でもキーとキー穴との係合状態を維持する。即ち、本耐久試験方法では、ステアリングコラムアッセンブリーの耐久試験中に、キーとキー穴との係合状態を解除することが無い。
このため、ステアリングシャフトを回転させることで、ステアリングコラムアッセンブリーに回転荷重を加えた状態で、その負荷によってイグニッションスイッチに微少回転が引き起こされたとしても、キーとキー穴との係合状態が維持されることとなる。しかも、イグニッションスイッチのキーシリンダに対するキーの噛合い状態は解除されていることから、キー操作装置に保持されたキーからキーシリンダを介してステアリングコラムアッセンブリーに対し負荷が与えられることは無い。そして、イグニッションスイッチの回転の有無に関わらず、イグニッションスイッチのキー穴に対する、キーの差し込み操作を可能とするものである。
【００２０】
（７）上記（５）（６）項において、前記イグニッションスイッチのキー穴に対する、キーの抜き差し操作及び回転操作の際に、前記キーを弾性支持して行う車両のステアリング装置の耐久試験方法（請求項５）。
本項に記載の車両のステアリング装置の耐久試験方法は、イグニッションスイッチのキー穴に対する、キーの抜き差し操作及び回転操作の際に、キーを弾性支持する。そして、ステアリングコラムアッセンブリーに回転荷重を加えた状態で、その負荷によってイグニッションスイッチに微少回転が引き起こされた場合においても、キーの変位を吸収し、イグニッションスイッチのキー穴に対する、キーの係合状態を適切に維持する。そして、イグニッションスイッチのキー穴に対するキーの差し込み操作を、より円滑に行うものである。
【発明の効果】
【００２１】
本発明はこのように構成したので、車載状態により近い供試体を用いた、車両のステアリング装置の耐久試験の自動化を図ることが可能となる。そして、車両の盗難防止対策により万全を期すことが可能となる。
【図面の簡単な説明】
【００２２】
【図１】本発明の実施の形態に係る、車両のステアリング装置の耐久試験装置の、概略構成図である。
【図２】図１に示される、車両のステアリング装置の耐久試験装置の、全体構成を示す斜視図である。
【図３】図１に示される、車両のステアリング装置の耐久試験装置の、供試体であるステアリングコラムアッセンブリーを保持する保持装置の、斜視図である。
【図４】図３に示される保持装置の要部を別角度から見た斜視図であり、供試体であるステアリングコラムアッセンブリーが保持されて、ステアリングシャフト駆動装置に接続された状態を示すものである。
【図５】図１に示される、車両のステアリング装置の耐久試験装置の、ステアリングシャフト駆動装置を示す斜視図である。
【図６】図１に示される、車両のステアリング装置の耐久試験装置の、キー操作装置を示す斜視図である。
【図７】図６に示される、キー操作装置の、キーを弾性支持する支持手段の斜視図である。
【図８】図１に示される、車両のステアリング装置の耐久試験装置における、耐久試験の様子を示す模式図であり、（ａ）は、キー穴内にキーの先端が残った状態で、ステアリングコラムアッセンブリーに回転荷重を加えた負荷によって、イグニッションスイッチに微少回転が引き起こされたときの、支持手段の変形態様を示すものであり、（ｂ）は、比較例として、キー穴からキーを完全に引き抜いて、ステアリングコラムアッセンブリーに回転荷重を加えることにより、イグニッションスイッチに微少回転が引き起こされたときの、不具合を示すものである。
【発明を実施するための形態】
【００２３】
以下、本発明を実施するための最良の形態を添付図に基づいて説明する。ここで、従来技術と同一部分、若しくは相当する部分については、同一符号で示し、詳しい説明を省略する。
本発明の実施の形態に係る車両のステアリング装置の耐久試験装置（以下、単に「試験装置」ともいう。）は、ステアリングコラムアッセンブリー１２を対象として、耐久性試験を行うものである。図１に示されるように、本試験の供試体であるステアリングコラムアッセンブリー１２は、イグニッションスイッチ１４と、イグニッションスイッチ１４のキーシリンダの回転位置（ＯＦＦ、ＡＣＣ、ＯＮ）に連動して作動するステアリングロック装置とを組み付けたものである（図８に、イグニッションスイッチ１４の周辺部が示されている。）。
【００２４】
試験装置１０は、図１、図２に示されるように、ステアリングコラムアッセンブリー１２を保持する保持装置１６と、ステアリングコラムアッセンブリー１２のステアリングシャフト１８（図８参照）を回転させるステアリングシャフト駆動装置２０とを備えている。又、イグニッションスイッチ１４のキー穴１４ａ（図８参照）に対する、キー２２の抜き差し操作及び回転操作を行うキー操作装置２４を備え、これらによって装置本体２６が構成されている。更に、ステアリングシャフト駆動装置２０及びキー操作装置２４を制御する、制御装置２８を備えている。なお、図１の例では、試験装置１０の装置本体２６と制御装置２８とは別体をなしているが、必要に応じて両者が一体構成を有していても良い。
【００２５】
本発明の実施の形態に係る装置本体２６は、図２に示されるように、その全体が、例えば透明樹脂製の隔壁によって構成された安全カバー３０によって、外部から目視可能に覆われている。そして、安全カバー３０の内部には、保持装置１６、ステアリングシャフト駆動装置２０及びキー操作装置２４が、各々、所定位置に配置され、格納されている。なお、符号２０ａは、ステアリングシャフト駆動装置２０の動力盤である。
一方、制御装置２８は、図１に示される、制御手段としての電子演算器ＣＰＵ、表示器ＬＣＤ、記憶手段ＨＤ、ＣＤ／ＤＶＤ−ＲＯＭ、各種インターフェースＩ／Ｆ、（制御手段としての）ＰＬＣ、ＴＰ、アワーメーターＨＭ及び動力回路ＰＷ等が、専用キャビネット３２に収納され、装置本外２６に隣接して設置されている。なお、制御装置２８の具体的構成については、必要に応じて変更されるものである。
更に、装置本体２６の保持装置１６、ステアリングシャフト駆動装置２０及びキー操作装置２４は、各々、次のような構成を有している。
【００２６】
まず、保持装置１６は、図３、図４に示されるように、ステアリングコラムアッセンブリー１２を固定するためのテーブル３４を有している。又、保持手段１６は、図３のＸ軸方向（水平方向）及びＸ軸回り（水平軸回り）にテーブル３４の位置を調整するための、Ｘ軸方向調整手段３６と、Ｘ軸回り調整手段３８とを備えている。更に、保持手段１６は、図３のＹ軸方向（鉛直方向）及びＹ軸回り（鉛直軸回り）にテーブル３４の位置を調整するための、Ｙ軸方向調整手段４０と、Ｙ軸回り調整手段４２とを備えている。なお、Ｘ軸方向調整手段３６は、調整ハンドル３６ａ及び固定ハンドル３６ｂを備えており、Ｘ軸回り調整手段３８は、調整ハンドル３８ａ及び固定ハンドル３８ｂを備えている。又、Ｙ軸方向調整手段４０は、調整ハンドル４０ａ及び固定ハンドル４０ｂを備えており、Ｙ軸回り調整手段３８は、調整ねじ４２ａとそれが挿通される円弧状ガイド溝４２ｂを備えている。そして、各調整手段は、手動によりＸＹ軸に係る調整を行うことが可能となっている。
なお、図示の例では、Ｘ軸方向の調整範囲は±１０ｍｍ、Ｙ軸方向の調整範囲は２００ｍｍ、Ｘ軸、Ｙ回りの調整範囲は±１０°となっている。
【００２７】
更に、保持装置１６のテーブル３４には、ステアリングコラムアッセンブリー１２を下面に保持した状態で、Ｘ軸方向及びＸＹ軸のいずれにも直交するＺ軸方向の位置を微調整するためのＸ軸方向ピッチ調整機構４４及びＹ軸方向ピッチ調整機構４６を備えている。図示の例では、Ｘ軸方向ピッチ調整機構４４及びＹ軸方向ピッチ調整機構４６には、何れも、リニアスライドが用いられており、手動による調整が可能である。
そして、保持装置１６は、耐久試験の間、ステアリングコラムアッセンブリー１２に荷重が加えられても位置が変化しないように、設置台４８（図４）に対して強固に固定されている。
【００２８】
ステアリングシャフト駆動装置２０は、図４、図５に示されるように、電動モータ及び減速機が一体になった駆動手段５０を備え、その回転軸５０ａは、軸方向（Ｚ軸方向）微調整手段５２（ＥＴＰブッシュ等）を介して、ステアリングコラムアッセンブリー１２のステアリングシャフト１８に連結されている。より具体的には、ステアリングシャフト駆動装置２０は、図１に示されるように、電動モータ５４及び減速機５６が直列に接続され、更に、シャフト負荷除去（安全対策）のための電磁クラッチ５８、シャフト負荷計測のためのトルク計測器６０、角度検出器６２を介して、ステアリングコラムアッセンブリー１２のステアリングシャフト１８に連結されている。又、駆動手段５０の回転軸５０ａと、ステアリングシャフト１８との連結には、適切な軸継手が用いられる。
なお、図示の例では、ステアリングシャフト駆動装置２０により得られるステアリングトルクは±５００Ｎｍ、角速度は最大１００°／秒となっている。又、軸方向微調整手段５２による調整幅は３５ｍｍとなっている。
【００２９】
キー操作装置２４は、図６に示されるように、電動モータ及び減速機が一体になった駆動手段６４から、キー操作を再現するための回転動作及び往復動作をする、回転・往復動作部６４ａが突出している。又、図１に詳細に示されるように、キー操作装置２４は、キー２２の抜き差し操作を行うための、例えば電動リニアアクチュエータからなる往復駆動部２４Ａと、キー２２の回転操作を行うための、例えばロータリーエンコーダ付きサーボモータを用いた回転駆動部２４Ｂとを備えている。
【００３０】
又、キー操作装置２４は、キー２２を弾性支持する支持手段６６を備えている。支持手段６６は、図７に示されるように、キー操作装置２４の、駆動手段６４の回転・往復動作部６４ａと、キー２２を保持する保持手段６８とを連結する弾性部材７０を備えている。図示の例では弾性部材７０にはコイルばねが用いられているが、その他の形式のばねやゴムブロックなどの弾性体であっても良い。なお、弾性部材７０のばね常数は、例えば１Ｎ／ｍｍとすることで、後述の如く、キー操作装置２４に対するキー２２の変位を吸収して、ステアリングコラムアッセンブリー１２に対し、不適切な負荷を与えることなく、キー操作装置２４による、イグニッションスイッチ１４のキー穴１４ａに対するキー２２の差し込み操作を、より円滑に行うものとなる。又、弾性部材７０のばね常数は、供試体であるステアリングコラムアッセンブリー１２の仕様（種類）に応じ、適宜調整可能となるように、例えば、異なるばね常数の弾性部材７０が交換自在となっている。又、弾性部材７０と、回転・往復動作部６４ａ及び保持手段６８との着脱構造についても、実施可能な範囲内で、適宜選択されるものである。
【００３１】
又、キー操作装置２４の保持手段６８は、図示の例では、キー２２のノブ２２ａを挟持するクランプ６８ａと、クランプ６８ａの開閉方向の動作をガイドするクランプガイド６８ｂと、クランプ６８ａでノブ２２ａを挟持した状態に固定する固定ボルト６８ｃと、弾性部材７０の固定プレート６８ｄとを備えている。そして、好ましくは、クランプ６８ａのノブ２２ａとの当接面には、ノブ２２ａを保持するに適した窪み形状が形成されている。この窪みにノブ２２ａがはまり込み、固定ボルト６８ｃを適切なトルクで締付けることで、キー２２の位置ズレを確実に防ぐことが可能となる。
【００３２】
そして、キー操作装置２４は、図６に示される台車７２に載置されており、台車の位置決め手段により、図６のＡ方向（キー２２の抜き差し方向）、Ｂ方向（Ａ方向に直交する水平方向）、Ｃ方向（Ａ方向に直交する垂直方向）及びＤ方向（Ｂ方向に延びる軸回りの方向）に、手動によって自在に調整可能になっている。又、台車７２のベース部７２ａにはキャスター７２ｂが設けられ、自在に移動可能となっており、かつ、ベース部７２ａを、ブラケット７４によって、必要な設置点に固定することが可能となっている。
【００３３】
更に、試験装置１０の装置本体２６には、図１に示されるように、ビデオスコープ７８を備え、ステアリングコラムアッセンブリー１２の耐久試験中に、ステアリングコラムアッセンブリー１２の、イグニッションスイッチ１４のキー穴１４ａ周辺部や、その他の必要部分の状態を撮影することが可能となっている。又、ステアリングシャフト駆動装置２０の電動モータ５４、キー操作装置２４の往復駆動部２４Ａ、及び、回転駆動部２４Ｂを制御するためのドライバＤＲＶを備え、これらＤＲＶが、制御装置２８の動力回路ＰＷに電気接続されることで、制御装置２８により、ステアリングコラムアッセンブリー１２の耐久試験のための所定の動作が、自動的に行われるものである。
【００３４】
又、上記構成を有する車両のステアリング装置の耐久試験装置１０による、ステアリングコラムアッセンブリー１２の耐久試験のフローは、一例として次のようなものとなる。
【００３５】
（準備工程）
Ｓ１００：保持装置１６のテーブル３４に、ステアリングコラムアッセンブリー１２を固定する。
Ｓ１０２：保持装置１６のテーブル３４の位置を調整し、ステアリングコラムアッセンブリー１２のステアリングシャフト１８を、ステアリングシャフト駆動装置２０の回転軸５０ａに連結させる。
Ｓ１０４：キー操作装置２４の保持手段６８に、キー２２を保持させる。
Ｓ１０６：キー操作装置２４に固定されたキー２２がイグニッションスイッチ１４のキー穴１４ａに対向するように、台車７２の位置調整を行い固定する。そして、台車７２の位置決め手段により、キー２２がイグニッションスイッチ１４のキー穴１４ａに抜き差し操作できるように、微調整を行う。
Ｓ１０８：制御装置２８により、ステアリングシャフト駆動装置２０によるステアリングシャフト１８の回転駆動角度の設定を行う。
Ｓ１１０：制御装置２８の制御手段ＣＰＵ（及び／又はＰＬＣ）により、キー操作装置２４による、キー２２の抜き差し操作、及び、回転操作の各位置の設定を行う。この際、キー穴１４ａに対するキー２２の引き抜き位置を、イグニッションスイッチ１４のキーシリンダに対するキー２２の噛合い状態が解除され、かつ、キー穴１４ａ内にキー２２の先端が残った状態（図８（ａ）の左図参照）となるように調整する。
Ｓ１１２：上記調整作業者は、全ての設定を完了後、安全カバー３０の外部へと退出し、安全カバー３０の扉を閉じる。
【００３６】
（試験工程）
Ｓ２００：キー操作装置２４により、イグニッションスイッチ１４のキー穴１４ａにキー２２を差し込み位置まで押し込み、かつ、キーシリンダの回転位置がＯＦＦの状態（ステアリングロック状態）となるように、セットする。
Ｓ２０２：ステアリングシャフト駆動装置２０により、ステアリングシャフト１８を所定角度だけ正回転（例えば右回転）させ、ステアリングコラムアッセンブリー１２に負荷を掛ける。
Ｓ２０４：キー操作装置２４により、キーシリンダの回転位置がＡＣＣの状態（ステアリングロック解除状態）となるように、キー２２を回転させる。
Ｓ２０６：ステアリングシャフト駆動装置２０により、ステアリングシャフト１８を所定角度だけ逆回転（例えば左回転）させ、ステアリングコラムアッセンブリー１２に対する負荷を無くす（空転）。
Ｓ２０８：キー操作装置２４により、キーシリンダの回転位置を、ＡＣＣからＯＦＦの状態まで回転させる（この際、キー２２の回転に必要なプッシュ動作も行われる。以下、同様。）。そして、イグニッションスイッチ１４のキー穴１４ａからキー２２を抜き位置まで引き抜き、ステアリングロック状態とする。
このとき、イグニッションスイッチ１４のキーシリンダに対するキー２２の噛合い状態が解除され、かつ、キー穴１４ａ内にキー２２の先端が残った状態（図８（ａ）の左図参照）となる。
【００３７】
Ｓ２１０：ステアリングシャフト駆動装置２０により、ステアリングシャフト１８を所定角度だけ逆回転（例えば左回転）させ、ステアリングコラムアッセンブリー１２に負荷を掛ける。
Ｓ２２０：キー操作装置２４により、イグニッションスイッチ１４のキー穴１４ａにキー２２を差し込み位置まで押し込み、かつ、キーシリンダの回転位置がＡＣＣの状態（ステアリングロック解除状態）となるように、キー２２を回転させる。
Ｓ２３０：ステアリングシャフト駆動装置２０により、ステアリングシャフト１８を所定角度だけ正回転（例えば右回転）させ、ステアリングコラムアッセンブリー１２に対する負荷を無くす（空転）。
Ｓ２４０：キー操作装置２４により、キーシリンダの回転位置を、ＡＣＣからＯＦＦの状態まで回転させる。そして、イグニッションスイッチ１４のキー穴１４ａからキー２２を抜き位置まで引き抜き、ステアリングロック状態とする。このとき、再びイグニッションスイッチ１４のキーシリンダに対するキー２２の噛合い状態が解除され、かつ、キー穴１４ａ内にキー２２の先端が残った状態（図８（ａ）の左図参照）となる。
【００３８】
試験装置１０は、上記Ｓ２００〜Ｓ２４０のステップを１サイクルとして、必要サイクル（例えば２５００サイクル）の耐久試験を繰り返す。そして、耐久試験終了後は、保持装置１６のテーブル３４に固定したステアリングコラムアッセンブリー１２を取り外す。上記と同様の手順により、他の形式のステアリングコラムアッセンブリー１２を、供試体として保持装置１６のテーブル３４に固定し、耐久試験を実施する。
【００３９】
さて、上記構成をなす本発明の実施の形態によれば、次のような作用効果を得ることが可能となる。まず、本発明の実施の形態に係る車両のステアリング装置の耐久試験装置１０は、イグニッションスイッチ１４と、イグニッションスイッチ１４のキーシリンダ１４ａの回転位置に連動して作動するステアリングロック装置とを組み付けた、ステアリングコラムアッセンブリー１２を供試体として、耐久試験を行うものである。そのために、保持装置１６によってステアリングコラムアッセンブリー１２を保持した状態で、制御装置２８により、ステアリングシャフト駆動装置２０及びキー操作装置２４が、耐久試験項目に即した動作を行うよう、制御することが可能となっている。
【００４０】
ここで、ステアリングシャフト駆動装置２０は、ステアリングシャフト１８を回転させることで、ステアリングコラムアッセンブリー１２に対し、回転操作に係る荷重を付与するものである。又、キー操作装置２４は、イグニッションスイッチ１４のキー穴１４ａに対する、キー２２の抜き差し操作及び回転操作を行うものである。そして、イグニッションスイッチ１４のキーシリンダの回転位置に連動して作動するステアリングロック装置を、ロック状態又はロック解除状態とするものである。更に、制御装置２８によってステアリングシャフト駆動装置２０及びキー操作装置２４の一連の動作を、自動的に行うよう制御することが可能である。
【００４１】
又、制御装置２８の制御手段ＣＰＵ（及び／又はＰＬＣ）により、キー操作装置２４によるキー２２の抜き差し操作として、キー穴１４ａに対するキー２２の引き抜き位置が、図８（ａ）の左図に示されるように、イグニッションスイッチ１４のキーシリンダに対するキー２２の噛合い状態が解除され、かつ、キー穴１４ａ内にキー２２の先端が残った状態となるよう調整される。即ち、キー穴１４ａに対してキー２２が引き抜き位置にある状態でも、キー２２とキー穴１４ａとの係合状態が維持されるので、ステアリングコラムアッセンブリー１２の耐久試験中に、キー２２とキー穴１４ａとの係合状態が解除されることが無くなる。
【００４２】
このため、ステアリングシャフト駆動装置２０によりステアリングシャフト１８を回転させることで、ステアリングコラムアッセンブリー１２に回転荷重を加えた状態で、その負荷によってイグニッションスイッチ１４に微少回転が引き起こされたとしても、図８（ａ）の右図に示されるように、キー２２とキー穴１４ａとの係合状態が維持されることとなる。しかも、イグニッションスイッチ１４のキーシリンダに対するキー２２の噛合い状態は解除されていることから、キー操作装置２４に保持されたキー２２からキーシリンダを介してステアリングコラムアッセンブリー１２に対し負荷が与えられることは無い。そして、イグニッションスイッチ１４の回転の有無に関わらず、キー操作装置２４による、イグニッションスイッチ１４のキー穴１４ａに対する、キー２２の差し込み操作が可能となるものである。
【００４３】
従って、制御装置２８によってステアリングシャフト駆動装置２０及びキー操作装置２４の一連の動作を、自動的に行うことで、耐久試験のための各装置の動作ロスを無くし、１サイクル（上記Ｓ２００〜Ｓ２４０）あたりの時間を短縮することが可能となる。その結果として、耐久試験の所要時間を大幅に短縮することが可能となり、例えば、１サイクルの所要時間を１０秒程度に収めることが可能となる。
【００４４】
又、本発明の実施の形態に係る車両のステアリング装置の耐久試験装置１２は、キー２２の支持手段６６が、キー操作装置２４の、キー操作を行う駆動手段６４と、キー２２を保持する保持手段６８とを連結する弾性部材７０を含み、キー２２を弾性支持するものである。そして、キー２２を弾性支持する支持手段６６を備えるキー操作装置２４によって、イグニッションスイッチ１４のキー穴１４ａに対する、キー２２の抜き差し操作及び回転操作を行う。よって、ステアリングコラムアッセンブリー１２に回転荷重を加えた状態で、その負荷によってイグニッションスイッチ１４に微少回転が引き起こされた場合においても、図８（ａ）の左図に示されるように、支持手段６６によりキー２２を弾性支持することができる。これにより、キー操作装置２４に対するキー２２の変位を吸収し、キー操作装置２４による、イグニッションスイッチ１４のキー穴１４ａに対するキー２２の差し込み操作を、より円滑に行うことが可能となる。
【００４５】
なお、比較例として、図８（ｂ）には、制御装置２８の制御手段ＣＰＵ（及び／又はＰＬＣ）による、キー操作装置２４によるキー２２の抜き差し操作における、キー穴１４ａに対するキーの引き抜き位置が、キー穴１４ａからキー２２の先端が完全に引き抜かれた状態となり、かつ、キー操作装置２４がキー２２を弾性支持する支持手段６６を備えない場合を示している。
ここで、図８（ｂ）の左図は、キー穴１４ａからキー２２の先端が完全に引き抜かれた状態が示されている。又、図８（ｂ）の右図は、ステアリングコラムアッセンブリー１２に回転荷重を加えた状態で、その負荷によってイグニッションスイッチ１４に微少回転が引き起こされた状態が示されている。そして、図８（ｂ）の右図のごとく、キー操作装置２４に保持されたキー２２と、イグニッションスイッチ１４のキー穴１４ａとに位置ズレが生じてしまい、自動操作でキー穴１４ａにキー２２を差し込むことが出来なくなることが解る。
【００４６】
更に、本発明の実施の形態に係る車両のステアリング装置の耐久試験装置１２の、装置本体２６は、その全体が安全カバー３０によって覆われている。よって、耐久試験に係る作業者は、安全カバー３０の外部へと退出し、安全カバー３０の扉を閉じた状態で、耐久試験を実施することができ、耐久試験時の安全性の更なる向上が図られる。
以上の如く、車載状態により近い供試体を用いた、車両のステアリング装置１２の耐久試験を行うことで、車両の盗難防止対策に、より万全を期すことが可能となる。
【符号の説明】
【００４７】
１０：車両のステアリング装置の耐久試験装置、１２：ステアリングコラムアッセンブリー、１４：イグニッションスイッチ、１６：保持装置、１８：ステアリングシャフト、２０：ステアリングシャフト駆動装置、２２：キー、２４：キー操作装置、２４Ａ：往復駆動部、２４Ｂ：回転駆動部、２６：装置本体、２８：制御装置、５０：駆動手段、６４：駆動手段、６６：支持手段、６６ａ：回転・往復動作部、６８：保持手段、７０：弾性部材
【図１】
0005637101.tif 000002
【図２】
0005637101.tif 000003
【図３】
0005637101.tif 000004
【図４】
0005637101.tif 000005
【図５】
0005637101.tif 000006
【図６】
0005637101.tif 000007
【図７】
0005637101.tif 000008
【図８】
0005637101.tif 000009